(57)【特許請求の範囲】
【請求項１】
負荷電力が定められている複数の負荷と、
定格電力が定められている複数の電源と、
前記複数の負荷の少なくとも１以上の負荷が動作する複数の動作モードを切り替える制御部と、
を備えており、
前記制御部は、前記動作モードに応じて、前記複数の電源の内から少なくとも１以上の電源を選択して、該動作モードにて動作する前記少なくとも１以上の負荷と該１以上の電源と接続し、
前記制御部により選択された各前記電源に接続されている前記負荷の負荷電力の合計が該各電源の定格電力に最も近くなっており、
前記複数の動作モードは、モノクロ画像を印刷する第１のモード、カラー画像を印刷する第２のモード、モノクロ画像を印刷すると共に後処理を施す第３のモード、及び、カラー画像を印刷すると共に後処理を施す第４のモードを含んでおり、
前記複数の電源は、第１の定格電力が定められている第１の電源、及び、第１の定格電力よりも大きな第２の定格電力が定められている第２の電源を含んでおり、
前記制御部は、
前記第１のモードにおいて、該第１のモードにて動作する全ての前記負荷と前記第１の電源とを接続し、
前記第３のモードにおいて、該第３のモードにて動作する全ての前記負荷と前記第２の電源とを接続し、
前記第４のモードにおいて、前記第２のモードにて動作する全ての前記負荷を前記第２の電源に接続すると共に、後処理において動作する全ての前記負荷を前記第１の電源に接続すること、
を特徴とする画像形成装置。
【請求項２】
前記制御部により選択された各前記電源に接続されている前記負荷の負荷電力の合計が該各電源の定格電力に等しくなっていること、
を特徴とする請求項１に記載の画像形成装置。
【請求項３】
前記制御部は、前記負荷と前記電源との接続の切り替えを、前記複数の電源の出力を停止させた状態で行うこと、
を特徴とする請求項１または請求項２に記載の画像形成装置。
【発明の詳細な説明】
【技術分野】
【０００１】
本発明は、複数の動作モードで動作できる画像形成装置に関する。
【背景技術】
【０００２】
従来の一般的な画像形成装置では、複数の動作モードを切り替えて実行できる。例えば、画像形成装置では、モノクロ画像を印刷するモノクロプリントモード、カラー画像を印刷するカラープリントモード、モノクロ画像を印刷すると共に、後処理を施すモノクロプリント後処理モード、及び、カラー画像を印刷すると共に、後処理を施すカラープリント後処理モードを切り替えて実行することができる。
【０００３】
ところで、従来の一般的な画像形成装置では、電源効率が悪いという問題がある。より詳細には、従来の一般的な画像形成装置は、１つのＡＣ／ＤＣ電源を有している。一般的に、ＡＣ／ＤＣ電源の電源効率は、ＡＣ／ＤＣ電源が定格電力を出力している時が最もよい。ところが、４つの動作モードでは、用いられる負荷が異なるため、負荷電力の合計も異なる。そのため、ＡＣ／ＤＣ電源は、動作モードによっては、自己の定格電力とは大きく異なる電力を出力しなければならない。その結果、動作モードによっては、ＡＣ／ＤＣ電源の電源効率が大きく悪化してしまう。
【０００４】
なお、電源の使用効率を向上させるための電源装置としては、例えば、特許文献１に記載の画像形成装置が知られている。該電源装置は、複数のデバイスに電力を供給する複数の電源部と、電源部の電流量を検出する検出部と、制御部とを備えている。制御部は、検出結果をもとに、各デバイスに対する電力の供給元となる電源部を選択している。このように、電源効率を向上させるために、種々の発明がなされている。
【先行技術文献】
【特許文献】
【０００５】
【特許文献１】特開２０１３−９３９９７号公報
【発明の概要】
【発明が解決しようとする課題】
【０００６】
そこで、本発明の目的は、電源効率を向上させることができる画像形成装置を提供することである。
【課題を解決するための手段】
【０００７】
本発明の一形態に係る画像形成装置は、
負荷電力が定められている複数の負荷と、
定格電力が定められている複数の電源と、
前記複数の負荷の少なくとも１以上の負荷が動作する複数の動作モードを切り替える制御部と、
を備えており、
前記制御部は、前記動作モードに応じて、前記複数の電源の内から少なくとも１以上の電源を選択して、該動作モードにて動作する前記少なくとも１以上の負荷と該１以上の電源と接続し、
前記制御部により選択された各前記電源に接続されている前記負荷の負荷電力の合計が該各電源の定格電力に最も近くなっており、
前記複数の動作モードは、モノクロ画像を印刷する第１のモード、カラー画像を印刷する第２のモード、モノクロ画像を印刷すると共に後処理を施す第３のモード、及び、カラー画像を印刷すると共に後処理を施す第４のモードを含んでおり、
前記複数の電源は、第１の定格電力が定められている第１の電源、及び、第１の定格電力よりも大きな第２の定格電力が定められている第２の電源を含んでおり、
前記制御部は、
前記第１のモードにおいて、該第１のモードにて動作する全ての前記負荷と前記第１の電源とを接続し、
前記第３のモードにおいて、該第３のモードにて動作する全ての前記負荷と前記第２の電源とを接続し、
前記第４のモードにおいて、前記第２のモードにて動作する全ての前記負荷を前記第２の電源に接続すると共に、後処理において動作する全ての前記負荷を前記第１の電源に接続すること、
を特徴とする。
【発明の効果】
【０００８】
本発明によれば、電源効率を向上させることができる。
【図面の簡単な説明】
【０００９】
【図１】画像形成装置１の全体構成を示した図である。
【図２】画像形成装置１の駆動系を示したブロック図である。
【図３】画像形成装置１の電源系を示したブロック図である。
【図４】電源１０２，１０４の電力と電源効率との関係を示したグラフである。
【図５】制御部１００が実行するフローチャートである。
【発明を実施するための形態】
【００１０】
以下に、本発明の一実施形態に係る画像形成装置について図面を参照しながら説明する。
【００１１】
（画像形成装置の構成）
以下に、本発明の実施形態に係る画像形成装置について図面を参照しながら説明する。図１は、画像形成装置１の全体構成を示した図である。図１において、紙面の左右方向を単に左右方向と呼び、紙面の前後方向を単に前後方向と呼び、紙面の上下方向を単に上下方向と呼ぶ。上下方向は鉛直方向に一致しており、前後方向は主走査方向に一致している。また、前後方向、上下方向及び左右方向は互いに直交している。なお、ここでの方向はあくまで一例である。
【００１２】
画像形成装置１は、電子写ぐ真方式によるカラープリンタであって、いわゆるタンデム式で４色（Ｙ：イエロー、Ｍ：マゼンタ、Ｃ：シアン、Ｋ：ブラック）の画像を合成するように構成されている。該画像形成装置１は、スキャナにより読み取った画像データに基づいて、用紙（印刷媒体）に画像を形成する機能を有し、図１に示すように、印刷部２、本体３、給紙カセット１５ａ、タイミングローラ対１９、定着装置２０、排紙ローラ対２１、排紙トレイ２３、後処理装置５０、制御部１００及び電源１０２，１０４を備えている。
【００１３】
制御部１００は、画像形成装置１の動作を制御し、例えば、ＣＰＵにより構成されている。電源１０２，１０４は、入力してきたＡＣ電圧をＤＣ電圧に変換して出力する。電源１０２，１０４には、互いに異なる定格電力が定められている。電源１０４に定められている定格電力は、電源１０２に定められている定格電力よりも大きい。本実施形態では、電源１０２に定められている定格電力は１００Ｗであり、電源１０４に定められている定格電力は２００Ｗである。
【００１４】
本体３は、画像形成装置１の筐体であり、印刷部２、本体３、給紙カセット１５ａ、タイミングローラ対１９、定着装置２０、排紙ローラ対２１、制御部１００及び電源１０２，１０４を収容している。
【００１５】
給紙カセット１５ａは、複数の用紙を収容することができると共に、用紙を１枚ずつ供給する。給紙カセット１５ａは、概略、用紙トレイ１６ａ及び給紙ローラ１７ａを含む。用紙トレイ１６ａには、印刷前の状態の用紙が複数枚重ねて載置される。給紙ローラ１７ａは、用紙トレイ１６ａに載置された用紙を１枚ずつ取り出す。給紙ローラ１７ａが取り出した用紙は、タイミングローラ対１９へと搬送される。タイミングローラ対１９は、印刷部２においてトナー画像が用紙に２次転写されるように、タイミングを調整しながら用紙を搬送する。
【００１６】
印刷部２は、その内部においてトナー画像を形成すると共に、タイミングローラ対１９により搬送されてきた用紙にトナー画像を転写する。印刷部２は、光走査装置６、転写部８Ｙ，８Ｍ，８Ｃ，８Ｋ、中間転写ベルト１１、駆動ローラ１２、従動ローラ１３、２次転写ローラ１４、クリーニング装置１８及び作像ユニット２２Ｙ，２２Ｍ，２２Ｃ，２２Ｋを含んでいる。また、作像ユニット２２Ｙ，２２Ｍ，２２Ｃ，２２Ｋはそれぞれ、感光体ドラム４Ｙ，４Ｍ，４Ｃ，４Ｋ、帯電器５Ｙ，５Ｍ，５Ｃ，５Ｋ、現像装置７Ｙ，７Ｍ，７Ｃ，７Ｋ及びクリーナー９Ｙ，９Ｍ，９Ｃ，９Ｋを含んでいる。
【００１７】
感光体ドラム４Ｙ，４Ｍ，４Ｃ，４Ｋは、本体３内に設けられ、前後方向に延在する円筒形状をなしている。感光体ドラム４Ｙ，４Ｍ，４Ｃ，４Ｋは、前側から平面視したときに、時計回りに回転させられる。
【００１８】
帯電器５Ｙ，５Ｍ，５Ｃ，５Ｋはそれぞれ、感光体ドラム４Ｙ，４Ｍ，４Ｃ，４Ｋの周面を帯電させる。光走査装置６は、制御部１００の制御により、感光体ドラム４Ｙ，４Ｍ，４Ｃ，４Ｋの周面に対してビームＢＹ，ＢＭ，ＢＣ，ＢＫを走査する。これにより、感光体ドラム４Ｙ，４Ｍ，４Ｃ，４Ｋの周面には静電潜像が形成される。すなわち、帯電器５Ｙ，５Ｍ，５Ｃ，５Ｋ及び光走査装置６は、感光体ドラム４Ｙ，４Ｍ，４Ｃ，４Ｋの周面に静電潜像を形成する露光部として機能する。
【００１９】
現像装置７Ｙ，７Ｍ，７Ｃ，７Ｋはそれぞれ、本体３内に設けられ、感光体ドラム４Ｙ，４Ｍ，４Ｃ，４Ｋに形成された静電潜像をトナーにより現像する現像部として機能する。
【００２０】
中間転写ベルト１１は、駆動ローラ１２と従動ローラ１３との間に張り渡されている。中間転写ベルト１１には、感光体ドラム４Ｙ，４Ｍ，４Ｃ，４Ｋに現像されたトナー画像が１次転写される。転写部８Ｙ，８Ｍ，８Ｃ，８Ｋは、中間転写ベルト１１の内周面に対向するように配置されており、感光体ドラム４Ｙ，４Ｍ，４Ｃ，４Ｋに形成されたトナー画像を中間転写ベルト１１に１次転写する役割を果たす。クリーナー９Ｙ，９Ｍ，９Ｃ，９Ｋは、１次転写後に感光体ドラム４Ｙ，４Ｍ，４Ｃ，４Ｋの周面に残存しているトナーを回収する。駆動ローラ１２は、モーター（図１には記載せず）により回転させられることにより、前側から平面視したときに、中間転写ベルト１１を反時計回りに駆動させる。これにより、中間転写ベルト１１は、トナー画像を２次転写ローラ１４まで搬送する。
【００２１】
２次転写ローラ１４は、中間転写ベルト１１と対向し、ドラム形状をなしている。そして、２次転写ローラ１４は、転写電圧が印加されることにより、中間転写ベルト１１との間を通過する用紙に対して、中間転写ベルト１１が担持しているトナー画像を２次転写する。クリーニング装置１８は、用紙へのトナー画像の２次転写後に、中間転写ベルト１１に残存しているトナーを除去する。
【００２２】
トナー画像が２次転写された用紙は、定着装置２０に搬送される。定着装置２０は、用紙に対して加熱処理及び加圧処理を施すことにより、トナー画像を用紙に定着させる。
【００２３】
排紙ローラ対２１は、定着装置２０を通過した用紙を排紙トレイ２３上に排出する。排紙トレイ２３上には、印刷済みの用紙が積載される。
【００２４】
後処理装置５０は、用紙にステープル処理や折り曲げ処理を施し、搬送ローラ対５２及びステープラ５４を含んでいる。搬送ローラ対５２は、排紙ローラ対２１から出力されてきた用紙をステープラ５４へと搬送する。ステープラ５４は、用紙束に対してステープル処理を施す。
【００２５】
次に、図２を参照しながら、画像形成装置１の駆動系について説明する。図２は、画像形成装置１の駆動系を示したブロック図である。
【００２６】
画像形成装置１は、図２に示すように、モーターＭ１〜Ｍ１５及びクラッチＣ１，Ｃ２を備えている。モーターＭ１は、感光体ドラム４Ｋを回転させるための駆動部である。モーターＭ２は、現像装置７Ｋを駆動させるための駆動部である。モーターＭ３は、駆動ローラ１２を回転させるための駆動部である。モーターＭ４は、給紙ローラ１７ａを回転させるための駆動部である。モーターＭ５は、タイミングローラ対１９を回転させるための駆動部である。モーターＭ６は、定着装置２０を駆動させるための駆動部である。モーターＭ７は、排紙ローラ対２１を回転させるための駆動部である。モーターＭ８は、感光体ドラム４Ｙを回転させるための駆動部である。モーターＭ９は、感光体ドラム４Ｍを回転させるための駆動部である。モーターＭ１０は、感光体ドラム４Ｃを回転させるための駆動部である。モーターＭ１１は、現像装置７Ｙを駆動させるための駆動部である。モーターＭ１２は、現像装置７Ｍを駆動させるための駆動部である。モーターＭ１３は、現像装置７Ｃを駆動させるための駆動部である。モーターＭ１４は、搬送ローラ対５２を回転させるための駆動部である。モーターＭ１５は、ステープラ５４を駆動させるための駆動部である。
【００２７】
クラッチＣ１は、モーターＭ４と給紙ローラ１７ａとを連結する。クラッチＣ２は、モーターＭ５とタイミングローラ対１９とを連結する。
【００２８】
次に、図３を参照しながら、画像形成装置１の電源系について説明する。図３は、画像形成装置１の電源系を示したブロック図である。画像形成装置では、制御部１００は、複数の負荷の少なくとも１以上の負荷が動作する複数の動作モードを切り替える。ここで、動作モードとしては、以下の４種類の動作モードが存在する。
【００２９】
モノクロプリントモード：モノクロ画像を印刷するモード
カラープリントモード：カラー画像を印刷するモード
モノクロプリント後処理モード：モノクロ画像を印刷すると共に、後処理を施すモード
カラープリント後処理モード：カラー画像を印刷すると共に、後処理を施すモード
【００３０】
モノクロプリントモード、カラープリントモード、モノクロプリント後処理モード及びカラープリント後処理モードにおいて共通して動作するモーター（すなわち、負荷）を負荷群Ｇ１と呼ぶ。負荷群Ｇ１は、給紙ローラ１７ａ、タイミングローラ対１９、駆動ローラ１２、感光体ドラム４Ｋ、現像装置７Ｋ、定着装置２０及び排紙ローラ対２１を駆動させるためのモーターＭ１〜Ｍ７である。
【００３１】
また、カラープリントモードにおいて動作するモーターの内の負荷群Ｇ１を除くモーターを負荷群Ｇ２と呼ぶ。負荷群Ｇ２は、感光体ドラム４Ｙ，４Ｍ，４Ｃ及び現像装置７Ｙ，７Ｍ，７Ｃを駆動させるためのモーターＭ８〜Ｍ１３である。
【００３２】
また、モノクロプリント後処理モードにおいて動作するモーターの内の負荷群Ｇ１を除くモーター、又は、カラープリント後処理モードにおいて動作するモーターの内の負荷群Ｇ２を除くモーターを負荷群Ｇ３と呼ぶ。すなわち、負荷群Ｇ３は、後処理において動作するモーターであり、搬送ローラ対５２及びステープラ５４を駆動させるためのモーターＭ１４，Ｍ１５である。
【００３３】
画像形成装置１は、図３に示すように、制御部１００、電源１０２，１０４、スイッチＳＷ１〜ＳＷ６及び負荷群Ｇ１〜Ｇ３を備えている。電源１０２，１０４は、ＡＣ入力接続されている。また、電源１０２は、スイッチＳＷ１を介して負荷群Ｇ１に接続され、スイッチＳＷ３を介して負荷群Ｇ２に接続され、スイッチＳＷ５を介して負荷群Ｇ３に接続されている。電源１０４は、スイッチＳＷ２を介して負荷群Ｇ１に接続され、スイッチＳＷ４を介して負荷群Ｇ２に接続され、スイッチＳＷ６を介して負荷群Ｇ３に接続されている。また、制御部１００は、スイッチＳＷ１〜ＳＷ６のオンとオフとを切り替えることにより、電源１０２と接続する負荷群Ｇ１〜Ｇ３とを切り替えると共に、電源１０４と接続する負荷群Ｇ１〜Ｇ３とを切り替える。
【００３４】
（画像形成装置の動作）
以下に、画像形成装置１が行う動作について図面を参照しながら説明する。図４は、電源１０２，１０４の電力と電源効率との関係を示したグラフである。縦軸は電源効率を示し、横軸は電力を示す。
【００３５】
電源１０２には１００Ｗの定格電力が定められている。そのため、電源１０２が定格電力である１００Ｗを出力しているときに、電源１０２の電源効率が最もよくなっていることが分かる。同様に、電源１０４には２００Ｗの定格電力が定められている。そのため、電源１０４が定格電力である２００Ｗを出力しているときに、電源１０４の電源効率が最もよくなっていることが分かる。従って、各モードにおいて、電源１０２，１０４が定格電力に近い電力を出力していることが好ましい。
【００３６】
表１は、各モードにおける負荷電力を示した表である。
【表１】
0006646851.tif 000002
【００３７】
表１に示すように、負荷群Ｇ１〜Ｇ３に定められている負荷電力はそれぞれ１００Ｗである。そして、モノクロプリントモードでは、負荷電力の合計は１００Ｗである。カラープリントモードでは、負荷電力の合計は２００Ｗである。モノクロプリント後処理モードでは、負荷電力の合計は２００Ｗである。カラープリント後処理モードでは、負荷電力の合計は３００Ｗである。
【００３８】
そこで、制御部１００は、動作モードに応じて、電源１０２，１０４の内から少なくとも１以上の電源を選択して、該動作モードにて動作する少なくとも１以上の負荷群Ｇ１〜Ｇ３と１以上の電源と接続する。この際、制御部１００により選択された各電源１０２，１０４のそれぞれに接続されている負荷群Ｇ１〜Ｇ３の電力の合計（すなわち、負荷の電力の合計）が各電源１０２，１０４の定格電力に最も近くなっている（本実施形態では等しくなっている）。以下により詳細に説明する。表２は、各モードにおける電源１０２，１０４と負荷群Ｇ１〜Ｇ６との接続関係を示した表である。
【００３９】
【表２】
0006646851.tif 000003
【００４０】
モノクロプリントモードでは、負荷群Ｇ１のみが動作するので、負荷電力は１００Ｗである。そこで、制御部１００は、負荷群Ｇ１（モノクロプリントモードにて動作する全ての負荷）と電源１０２とを接続するように、スイッチＳＷ１をオンに制御すると共に、スイッチＳＷ２〜ＳＷ６をオフに制御する。これにより、電源１０２の定格電力と負荷群Ｇ１の負荷電力とが等しくなる。
【００４１】
カラープリントモードでは、負荷群Ｇ１，Ｇ２のみが動作する。負荷群Ｇ１の負荷電力は１００Ｗであり、負荷群Ｇ２の負荷電力は１００Ｗである。そこで、制御部１００は、負荷群Ｇ１，Ｇ２（カラープリントモードにて動作する全ての負荷）と電源１０４とを接続するように、スイッチＳＷ２，ＳＷ４をオンに制御すると共に、スイッチＳＷ１，ＳＷ３，ＳＷ５，ＳＷ６をオフに制御する。これにより、電源１０４の定格電力と負荷群Ｇ１，Ｇ２の負荷電力の合計とが等しくなる。
【００４２】
モノクロプリント後処理モードでは、負荷群Ｇ１，Ｇ３のみが動作する。負荷群Ｇ１の負荷電力は１００Ｗであり、負荷群Ｇ３の負荷電力は１００Ｗである。そこで、制御部１００は、負荷群Ｇ１，Ｇ３（モノクロプリント後処理モードにて動作する全ての負荷）と電源１０４とを接続するように、スイッチＳＷ２，ＳＷ６をオンに制御すると共に、スイッチＳＷ１，ＳＷ３〜ＳＷ５をオフに制御する。これにより、電源１０４の定格電力と負荷群Ｇ１，Ｇ３の負荷電力の合計とが等しくなる。
【００４３】
カラープリント後処理モードでは、負荷群Ｇ１〜Ｇ３が動作する。負荷群Ｇ１の負荷電力は１００Ｗであり、負荷群Ｇ２の負荷電力は１００Ｗであり、負荷群Ｇ３の負荷電力は１００Ｗである。そこで、制御部１００は、負荷群Ｇ１，Ｇ２（カラープリントモードにて動作する全ての負荷）と電源１０４とを接続するように、スイッチＳＷ２，ＳＷ４をオンに制御すると共に、負荷群Ｇ３（後処理で動作する全ての負荷）と電源１０２とを接続するように、スイッチＳＷ５をオンに制御する。更に、制御部１００は、スイッチＳＷ１，ＳＷ３，ＳＷ６をオフに制御する。これにより、電源１０４の定格電力と負荷群Ｇ１，Ｇ２の負荷電力の合計とが等しくなり、電源１０２の定格電力と負荷群Ｇ３の負荷電力とが等しくなる。
【００４４】
次に、制御部１００が行う具体的な動作について図面を参照しながら説明する。図５は、制御部１００が実行するフローチャートである。
【００４５】
まず、制御部１００は、動作モードの設定を開始する（ステップＳ１）。動作モードの設定を開始は、画像形成装置１に接続されたコンピュータ等から印刷ジョブを制御部１００が受け付けることにより開始される。また、ステップＳ１では、スイッチＳＷ１〜ＳＷ６はオフに制御されている。従って、制御部１００は、負荷群Ｇ１と電源１０２，１０４との接続の切り替えを、電源１０２，１０４の出力を停止させた状態で行う。
【００４６】
次に、制御部１００は、モノクロプリントが実行されるか否かを判定する（ステップＳ２）。モノクロプリントが実行される場合には、本処理はステップＳ３に進む。モノクロプリントが実行されない場合には、本処理はステップＳ４に進む。
【００４７】
モノクロプリントが実行される場合、制御部１００は、後処理が実行されるか否かを判定する（ステップＳ３）。後処理が実行される場合には、本処理はステップＳ５に進む。後処理が実行されない場合には、本処理はステップＳ７に進む。
【００４８】
後処理が実行される場合、制御部１００は、モノクロプリント後処理モードを設定する（ステップＳ５）。そして、制御部１００は、スイッチＳＷ２，ＳＷ６をオンに制御する（ステップＳ６）。この後、印刷が実行される。
【００４９】
後処理が実行されない場合、制御部１００は、モノクロプリントモードを設定する（ステップＳ７）。そして、制御部１００は、スイッチＳＷ１をオンに制御する（ステップＳ８）。この後、印刷が実行される。
【００５０】
モノクロプリントが実行されない場合、制御部１００は、後処理が実行されるか否かを判定する（ステップＳ４）。後処理が実行される場合には、本処理はステップＳ９に進む。後処理が実行されない場合には、本処理はステップＳ１１に進む。
【００５１】
後処理が実行される場合、制御部１００は、カラープリント後処理モードを設定する（ステップＳ９）。そして、制御部１００は、スイッチＳＷ２，ＳＷ４，ＳＷ５をオンに制御する（ステップＳ１０）。この後、印刷が実行される。
【００５２】
後処理が実行されない場合、制御部１００は、カラープリントモードを設定する（ステップＳ１１）。そして、制御部１００は、スイッチＳＷ２，ＳＷ４をオンに制御する（ステップＳ１２）。この後、印刷が実行される。
【００５３】
（効果）
以上のように構成された画像形成装置１によれば、動作モードに関わらず、電源１０２，１０４が定格電力を出力するようになる。その結果、電源１０２，１０４の電源効率が向上する。
【００５４】
また、画像形成装置１では、電源部の電流量を検出する検出部が不要なので、製造コストが低減される。
【００５５】
また、画像形成装置１では、制御部１００は、負荷群と電源との接続の切り替えを、電源１０２，１０４の出力を停止させた状態で行う。そのため、切り替え時に生じる電圧サグにより、負荷群の動作が不安定になることが抑制される。
【００５６】
（その他の実施形態）
本発明に係る画像形成装置は、前記画像形成装置１に限らず、その要旨の範囲内において変更可能である。
【００５７】
なお、電源の数は２つに限らない。また、複数の電源の定格電力は、必ずしも異なっていなくてもよい。
【００５８】
なお、電源に接続される負荷群の負荷電力の合計と該電源の定格電力とは必ずしも等しくなくてもよい。電源に接続される負荷群の負荷電力の合計が該電源の定格電力に最も近くなっていればよい。電源に接続される負荷群の負荷電力の合計が該電源の定格電力に最も近くなっているとは、各動作モードにおいて考え得る複数通りの接続方法の中で、電源に接続される負荷群の負荷電力の合計と該電源の定格電力との差が最も小さくなる接続方法のことを意味する。
【産業上の利用可能性】
【００５９】
以上のように、本発明は、画像形成装置に関し、電源効率を向上させることができる点において優れている。
【符号の説明】
【００６０】
１：画像形成装置
１００：制御部
１０２，１０４：電源
Ｇ１〜Ｇ６：負荷群
Ｍ１〜Ｍ１５：モーター
ＳＷ１〜ＳＷ６：スイッチ
【図１】
0006646851.tif 000004
【図２】
0006646851.tif 000005
【図３】
0006646851.tif 000006
【図４】
0006646851.tif 000007
【図５】
0006646851.tif 000008